(57)【要約】【課題】  高い生産性を達成することができる柄経糸用部分整経機及び柄経糸用部分整経機を作動させるための方法をを提供する。【解決手段】  柄経糸用部分整経機１は、整経ドラム２と、糸案内装置１７と、駆動装置とを有する。整経ドラム２は、その軸線と平行に移動可能な複数の搬送面８，９を外周面に配置されている。糸案内装置１７は、整経ドラム２の第１端部に配置された少なくとも１つの糸ガイド１８を備えている。また、駆動装置は、周方向において、糸ガイド１８と整経ドラム２とを相対運動させるようになっている。更に、柄経糸用部分整経機１は、第２糸案内装置１９を備えており、糸案内装置１９は、第２端部に配置された少なくとも１つの糸ガイド２０を備えている。【選択図】      図１
2010242275.tif 000002
【特許請求の範囲】
【請求項１】
軸線と平行に移動可能な複数の搬送面が外周面に配置された整経ドラム（２）と、該整経ドラム（２）の第１端部に配置される少なくとも１つの糸ガイド（１８）を備えた糸案内装置（１７）と、前記糸ガイド（１８）と前記整経ドラム（２）とを周方向に相対運動させる駆動装置とを有する柄経糸用部分整経機（１）において、
この柄経糸用部分整経機（１）は、少なくとも１つの糸ガイド（２０）を備えた第２糸案内装置（１９）を有し、
前記第２糸案内装置（１９）は、前記整経ドラム（２）の第２端部に配置されていることを特徴とする柄経糸用部分整経機。
【請求項２】
前記第２端部では、前記糸ガイド（１８）と前記整経ドラム（２）とが前記第１端部と同じように相対運動することを特徴とする、請求項１に記載の柄経糸用部分整経機。
【請求項３】
前記搬送面は、各２つの搬送部（８，９）に分かれていることを特徴とする、請求項１又は２に記載の柄経糸用部分整経機。
【請求項４】
前記両方の搬送部（８，９）は、互いに接近するように移動できるようになっていることを特徴とする、請求項３に記載の柄経糸用部分整経機。
【請求項５】
滑り面となる橋絡エレメント（１０）が設けられており、
前記搬送面に続いて前記滑り面に給糸できるようになっていることを特徴とする、請求項３又は４に記載の柄経糸用部分整経機。
【請求項６】
前記橋絡エレメント（１０）は、周方向において、少なくとも部分的に搬送面の間に配置され、且つ軸線方向で搬送面に部分的に重なるように配置されていることを特徴とする、請求項５に記載の柄経糸用部分整経機。
【請求項７】
前記整経ドラム（２）は、軸線方向で２つの部分（３，４）に区分されており、
前記２つの部分（３，４）の間には、間隔（５）を有し、
該間隔（５）内には、軸受装置が設けられていることを特徴とする、請求項１乃至６のいずれか１項に記載の柄経糸用部分整経機。
【請求項８】
前記搬送面は、前記整経ドラム（２）の軸線方向に延在しており、双方向に移動できるようになっていることを特徴とする、請求項１又は２に記載の柄経糸用部分整経機。
【請求項９】
柄経糸用部分整経機（１）を作動させるための方法であり、糸を整経ドラム（２）の外周面の周りに案内し、前記整経ドラム（２）の軸線と平行に移動する搬送面上に給糸するための方法であって、
前記整経ドラム（２）の両方の端部において、糸が整経ドラム（２）の外周面の周りに案内されることを特徴とする方法。
【請求項１０】
前記両方の端部において、同時に整経ドラム（２）の外周面の周りに糸を案内することができ、前記整経ドラム（２）の軸線方向で少なくとも２つの搬送部（８，９）に分かれた搬送面が糸の移動のために用いられ、少なくとも各端部に隣接した搬送部（８，９）が互いに逆方向に動くことを特徴とする、請求項９に記載の方法。
【請求項１１】
両方の端部において、整経ドラム（２）の周面の周りに交互に糸を案内し、搬送面の２つの搬送部（８，９）が交互に逆方向に動くことを特徴とする、請求項９に記載の方法。
【発明の詳細な説明】
【技術分野】
【０００１】
本発明は、軸線と平行に移動可能な複数の搬送面が外周面に配置された整経ドラムと、該整経ドラムの第１端部に配置される少なくとも１つの糸ガイドを備えた糸案内装置と、前記糸ガイドと前記整経ドラムとを周方向に相対運動させる駆動装置とを有する柄経糸用部分整経機に関する。
【０００２】
本発明は、さらに、柄経糸用部分整経機を作動させるための方法であり、糸を整経ドラムの外周面の周りに案内し、整経ドラムの軸線と平行に移動する搬送面上に給糸するための方法に関する。
【背景技術】
【０００３】
柄経糸用部分整経機及び柄経糸を製造するための方法は、特許文献１により公知である。搬送面は、整経ドラムの外周面の特定位置において、整経ドラムの軸線に平行に配置される搬送ベルトによって構成される。糸案内装置は、複数の糸ガイドを有する。糸ガイドは、糸ガイドと一緒に回転する回転式クリールから糸を引き出し、搬送ベルト上に給糸するようになっている。これにより、糸をいわばエンドレスで巻き取ることができるようになっている。予め定められた糸本数の経糸が整経ドラムに巻き取られると、糸ガイドが停止する。そして、切断ロッドにより糸が切断され、経糸は、並置された多数の単糸の態様で整経ドラム上に存在する。そして、この経糸は、整経ドラムから繰り出され、例えば整経ビームに巻き取られる。
【先行技術文献】
【特許文献】
【０００４】
【特許文献１】欧州特許出願公開第１４７９８０３号明細書
【発明の概要】
【発明が解決しようとする課題】
【０００５】
本発明は、高い生産性を達成することができる柄経糸用部分整経機及び柄経糸用部分整経機を作動させるための方法を提供することを目的としている。
【課題を解決するための手段】
【０００６】
本発明の柄経糸用部分整経機は、軸線と平行に移動可能な複数の搬送面が外周面に配置された整経ドラムと、該整経ドラムの第１端部に配置される少なくとも１つの糸ガイドを備えた糸案内装置と、前記糸ガイドと前記整経ドラムとを周方向に相対運動させる駆動装置とを有するものであって、この柄経糸用部分整経機は、少なくとも１つの糸ガイドを備えた第２糸案内装置をさらに有し、前記第２糸案内装置は、前記整経ドラムの第２端部に配置されているものである。
【０００７】
本発明によれば、整経ドラムの両方の端部から柄経糸を整経することが可能となる。これにより、例えば、２つの糸案内装置のうち一方の糸案内装置は、整経ドラムの一方の端部で新たな柄出しのために備えることができ、他方の糸案内装置は、整経ドラムの他方の端部で柄経糸を整経ドラムの外周面に巻き取ることができる。それ故、準備の時間を短く抑えることができ、この短く抑えた時間を製品の生産に利用することができる。これにより、高い生産性を達成することができる。
【０００８】
前記発明において、前記第２端部では、前記糸ガイドと前記整経ドラムとが前記第１端部と同じように相対運動することが好ましい。前記構成によれば、例えば、両方の糸案内装置の糸ガイドは、整経ドラムの前面側で糸を下から上へと案内するように作動する。それ故、整経ドラムから経糸を繰り出すとき、糸が巻き取られた端部がいずれの端部であるか係わらず、常に同じ方向に整経ドラムを回転させればよくなる。
【０００９】
前記発明において、前記搬送面は、各２つの搬送部に区分されていることが好ましい。このように搬送面を区分する場合、整経ドラムの軸線方向中央搬送部で区分することが好ましい。前記構成によれば、例えば一方の搬送部を停止させ、他方の搬送部だけを動かすことができる。これは、経糸帯の幅が小さい場合に可能である。
【００１０】
前記発明において、両方の搬送部は、互いに接近するように移動できるようになっていることが好ましい。前記構成によれば、整経ドラムの両方の端部から同時に糸を巻き取ることができ、整経ドラムの両方の端部で経糸を整経することができる。これにより、整経ドラムに糸を巻き取るのに必要な時間が事実上半減する。また、整経ドラムから経糸を繰り出すときに各端部から巻き取られた経糸を一緒にすることができる。
【００１１】
前記発明において、滑り面となる橋絡エレメントが設けられており、前記搬送面に続いて前記滑り面に給糸できるようになっていることが好ましい。前記構成によれば、搬送部の間の空隙を橋絡することができ、搬送面の搬送部を動かすことで経糸を整経ドラムの軸線方向中央に寄せ集めることができる。それ故、巻返し時、すなわち整経ドラムから経糸を繰り出すとき、そして整経ビームに巻き取るとき、糸の横方向に作用する張力を小さく抑えることができる。
【００１２】
前記発明において、前記橋絡エレメントは、周方向において、少なくとも部分的に搬送面の間に配置され、且つ軸線方向で搬送面に部分的に重なるように配置されていることが好ましい。前記構成によれば、糸が入り込み得るような空隙をなくすことができる。
【００１３】
前記発明において、整経ドラムは、軸線方向で２つの部分に区分されており、前記２つの部分の間には、間隔を有し、この間隔内には、軸受装置が設けられていることが好ましい。前記構成によれば、整経ドラムをその軸線方向中央搬送部で回転可能に支承することができ、端部に軸受エレメント等を設ける必要がなくなる。
【００１４】
前記発明において、前記搬送面は、前記整経ドラムの軸線方向に延在しており、双方向に移動できるようになっていることが好ましい。前記構成によれば、経糸を、整経ドラムの両方の端部から交互に整経することができる。
【００１５】
本発明の柄経糸用部分整経機を作動させるための方法は、糸を整経ドラムの外周面の周りに案内し、前記整経ドラムの軸線と平行に移動する搬送面上に給糸するための方法であって、前記整経ドラムの両方の端部において、糸が整経ドラムの外周面の周りに案内される方法である。
【００１６】
本発明によれば、製品の生産性の向上について様々な見込みが生じる。
【００１７】
前記発明において、前記両方の端部において、同時に整経ドラムの外周面の周りに糸を案内することができ、前記整経ドラムの軸線方向で少なくとも２つの搬送部に区分された搬送面が糸の移動のために用いられ、少なくとも各端部に隣接した搬送部が互いに逆方向に動くようになっていることが好ましい。前記方法によれば、整経ドラムの両方の端部から同時に経糸を巻き取ることができ、経糸を整経ドラムに巻き取るのに必要な時間が事実上半減する。それ故、整経時間を短く抑えることができ、高い生産性を達成することができる。
【００１８】
前記発明において、両方の端部において、整経ドラムの周面の周りに交互に糸を案内し、前記搬送面が交互に逆方向に動くようになっていることが好ましい。このように措置すると、整経ドラムの一方の端部において、糸を整経ドラムの周面の周りに案内して巻き取ることができ、整経ドラムの他方の端部において、糸案内装置及びそれに対応するクリールは、異なる整経のため確保しておくことができる。前記方法によれば、準備の時間が短く抑えられる。というのも、経糸が整経ドラムに巻き取られてそこから再び繰り出されるまで、糸案内装置及びクリールの準備を待つ必要がないからである。一方の経糸の繰り出した後、直接続けて新たな経糸を巻き取ることができる。
【発明の効果】
【００１９】
本発明によれば、高い生産性を達成することができる。
【図面の簡単な説明】
【００２０】
【図１】柄経糸用部分整経機を側方から見た側面図である。
【図２】柄経糸用部分整経機を上方から見た平面図である。
【図３】柄経糸用部分整経機を正面から見た正面図である。
【図４】橋絡エレメンをト拡大して示す拡大図である。
【発明を実施するための形態】
【００２１】
以下では、本発明の好ましい実施形態について、図面に基づいて説明する。
【００２２】
図１乃至図３に示す柄経糸用部分整経機１は、整経ドラム２を有する。本実施例において、整経ドラム２は、２つのサイド３，４に区分されている。両方のサイド３，４の間には、間隔５があり、この間隔５内に軸受装置６が設けられている。軸受装置６は、ベース７を有し、このベース７を介して詳しくは図示しない床に立設されている。それ故、整経ドラム２の両端部に軸受エレメント等を設けることなく、比較的僅かなコストで整経ドラム２の両方のサイド３，４が回転可能に支承される。しかし、整経ドラム２は、例えば、経糸を巻き取る際の回動に備えて固定しておくことができる。
【００２３】
整経ドラム２は、別の方法によって支承してもよい。例えば、整経ドラム２の端部の外側に固着されて挿通される軸を用いることができる。
【００２４】
整経ドラム２の各サイド３，４は、複数の搬送面を有しており、これら複数の搬送面は、周方向に間隔をあけて設けられている。各搬送面は、搬送ベルト８，９（搬送部）によって構成されている。これら搬送ベルト８，９は、柄経糸用部分整経機の分野において知られているように、整経ドラム２の軸線と平行に移動可能である。また、搬送ベルト８，９は、整経ドラム２の外周面において、周方向に間隔をあけて並設されている。本実施例において搬送ベルト８，９は、互いに逆向きに走行するように駆動されている。
【００２５】
図４からわかるように、搬送ベルト８，９は、一つの搬送面を形成するように整経ドラム２の周方向において同じ位置に配置され、搬送ベルト８，９の間に橋絡エレメント１０を設けておくことができる。橋絡エレメント１０は、両方の搬送ベルト８，９の間に生じる軸線方向の空隙を橋絡する。橋絡エレメント１０は、周方向で搬送ベルト８と部分的に重なる腕１１，１２と、周方向で搬送ベルト９と部分的に重なる腕１３，１４とを有する。即ち、橋絡エレメント１０は、搬送ベルト８，９と軸線方向で部分的に重なっている。このように重ねることで、搬送ベルト８，９間の隙間をなくすことができ、この隙間に糸が滑り落ちて故障を引き起こすことを防ぐことができる。また、重ねることで、搬送ベルト８，９が同じ方向に動くとき、巻き取られた糸帯を一方の搬送ベルト８から他方の搬送ベルト９へと移すことができる。両方の搬送ベルト８，９を互いに逆方向で動かすと、巻き取られた糸帯を中央に寄せ集めることができる。このように中央に寄せ集めることで、巻返し時、すなわち整経ドラム２から経糸を繰り出すとき、また整経ビームに巻き取るとき、糸に対して横方向に作用する張力を小さく抑えることができる。このような作用効果を奏するが、橋絡エレメント１０は、図１及び図２に示すような整経ドラム２がその軸線方向中央に軸受装置６を有しない場合に使用することができない。
【００２６】
整経ドラム２の左端部、即ちサイド３の端部の外方には、回転式クリール１５が配置されている。整経ドラム２の右端部、すなわちサイド４の端部の外方には、回転式クリール１６が配置されている。回転式クリール１５は、糸案内装置１７と結合されており、この糸案内装置１７は、多数の糸ガイド１８を有している。また、回転式クリール１６は、糸案内装置１９と結合されており、この糸案内装置１９は、多数の糸ガイド２０を有している。このように糸案内装置１７，１９に結合された回転式クリール１５，１６は、整経ドラムの軸線方向の延長線上にある１つの位置から糸を供給することができる。それ故、糸にかかる負担が軽減され、各回転式クリール１５，１６から糸案内装置１７，１９へと糸を案内することが容易となる。
【００２７】
柄経糸用部分整経機について一般に知られているように、糸ガイド１８，２０は、軸線方向に多少動くことができる。また、糸ガイド１８，２０は、整経ドラム２の外周面に糸を巻回し、又は整経ドラム２の各端部から外方へと離れることができる。個々の糸は、糸ガイド１８，２０によって搬送ベルト８，９上の所望の位置に給糸することができる。
【００２８】
図２からわかるように、両方の回転式クリール１５，１６は、矢印２１，２２で示したように、同じ方向に回転するようになっている。つまり、糸ガイド１８，２０は、側面図である図１で下から上、平面図である図２で前から後ろへと動くようになっている。即ち、糸は、整経ドラム２において同じ周方向でそれぞれ巻き取られ、糸が整経ドラム２の左端部から巻き取られたのか、また右端部から巻き取られたのかに係わらず、すべての糸を一緒に繰り出すことができる。
【００２９】
図１乃至３面に示した柄経糸用部分整経機１は、以下の如く作動することができる。まず、整経ドラム２が固定される。各糸ガイド１８，２０は、２つの回転式クリール１５，１６から糸をそれぞれ引き出し、整経ドラム２の外周面にある搬送ベルト８，９上に給糸する。搬送ベルト８，９は、整経ドラム２の外側から互いに接近する方向に向いて動いており、両方のサイド３，４で糸層が生成されると、最後に整経ドラム２の中央に小さな空隙が残るだけとなる。これにより、巻取り、即ち整経ドラム２の周りでの糸の巻回は、終了する。糸は、詳しく図示しない切断ロッドに沿って切断され、切断された経糸は、次に整経ビームに巻き取ることができる。なお、左及び右端部から巻き取られた経糸の間にある隙間は、整経ビームで巻き取るときになくすことができる。
【００３０】
このように２つの糸案内装置１７，１９を動かすことで、整経ドラム２の両端部から同時に糸を巻き取ることができ、整経ドラム２の両方のサイド３，４で経糸を整経することができる。これにより、整経ドラム２に糸を巻き取るのに必要な時間が事実上半減する。また、整経ドラム２から経糸を繰り出すときに、各サイド３，４で巻き取られた経糸を一緒にすることができる。
【００３１】
また、柄経糸用部分整経機１では、例えば、２つの糸案内装置１７，１９のうち一方の糸案内装置１７を整経ドラム２の一方のサイド３で新たな柄出しのために備えることができ、他方の糸案内装置１９を整経ドラム２の他方のサイド４で柄経糸を整経ドラム２の外周面に巻き取りに使用することができる。それ故、準備の時間を短く抑えることができ、この短く抑えた時間を製品の生産に利用することができる。これにより、高い生産性を達成することができる。
【００３２】
整経ドラム２は、その軸線方向中央で支承されるのでなく、別の方法で支承されている場合、１つの連続した搬送ベルトを用いることができる。この場合、搬送ベルトは、双方向に駆動できるようになっており、まず回転式クリール１５でもって、整経ドラム２の左端部だけに糸が給糸されて、前記左端部だけで巻層を生成することができる。次に、回転式クリール１５が糸ガイド１８と共に作動する限り、整経ドラム２の他方の端部は、フリーである。そこで、糸ガイド２０は、次の整経工程のために準備することができる。そして、左端部からの巻取り終了した後に、経糸が回転式クリール１６から引き出されると、それに直接続けて整経ドラム２の右端部から経糸を巻き取ることができる。すなわち、整経ドラム２の両端部から交互に整経することができる。これにより、左端部に巻取った後に右端部に経糸を巻き取るべく準備にかかる時間の必要がなくなる。
【００３３】
また、両方のサイド３，４の間に間隔５がなく、整経ドラム２が別の方法で支承されている場合、搬送ベルト９を動かさない間に、例えば一方の端部から糸ガイド１８によって搬送ベルト８上で糸を巻き取るように処理することもできる。そして、搬送ベルト８上で経糸が仕上がると、搬送ベルト８，９を共に同じ方向に動かして経糸を搬送ベルト９に移し、搬送ベルト８上で新たな経糸を巻き取る。その場合、２つの経糸を一度の巻返し工程で巻き返すことができ、整経の時間が節約される。この構成では、第２の回転式クリール（たとえば、回転クリール１６）は、引き続き整経をするための準備の時間を節約するために用いることができるが、必ずしも２つの回転式クリールを用いることが必要ではなく、経糸帯の幅が小さいときに可能である。
【００３４】
なお、本発明は、実施の形態に限定されず、発明の趣旨を逸脱しない範囲で追加、削除、変更が可能である。
【産業上の利用可能性】
【００３５】
以上のように、本発明は、軸線と平行に移動可能な複数の搬送面が外周面に配置された整経ドラムと、該整経ドラムの第１端部に配置される少なくとも１つの糸ガイドを備えた糸案内装置と、前記糸ガイドと前記整経ドラムとを周方向に相対運動させる駆動装置とを有する柄経糸用部分整経機に好適であり、また、柄経糸用部分整経機を作動させるための方法であり、糸を整経ドラムの外周面の周りに案内し、整経ドラムの軸線と平行に移動する搬送面上に給糸するための方法に好適である。
【符号の説明】
【００３６】
１  柄経糸用部分整経機
２  整経ドラム
３  サイド
４  サイド
５  間隔
６  軸受装置
７  ベース
８  搬送ベルト
９  搬送ベルト
１０  橋絡エレメント
１７  糸案内装置
１８  糸ガイド
１９  糸案内装置
２０  糸ガイド
【図１】
2010242275.tif 000003
【図２】
2010242275.tif 000004
【図３】
2010242275.tif 000005
【図４】
2010242275.tif 000006